(57)【要約】【課題】  複数の原稿に対して同じ領域の切り出し読み取りをして、各原稿の内容に対して既定の読み取り領域がずれてしまった場合に、ユーザの所望する切り出し結果にならないが、そのことにユーザが気付かずに処理を行ってしまう。【解決手段】  読み取った原稿の画像から、原稿の画像の切り出し領域の画像を切り出し、その切り出した画像をプレビュー表示し、そのプレビュー表示された画像に対して前記切り出し領域を移動させて、前記画像の位置を調整する。【選択図】  図１２
2013162181.tif 000002
【特許請求の範囲】
【請求項１】
原稿の画像を読み取って画像を切り出す画像読み取り装置であって、
原稿の画像の切り出し領域を設定する設定手段と、
原稿を読み取る読み取り手段と、
前記読み取り手段により読み取った原稿の画像から、前記設定手段により設定された前記切り出し領域の画像を切り出す切り出し手段と、
前記切り出し手段により切り出した画像をプレビュー表示するプレビュー表示手段と、
前記プレビュー表示された画像に対して前記切り出し領域を移動させて、前記画像の位置を調整する調整手段と、
を有することを特徴とする画像読み取り装置。
【請求項２】
前記読み取り手段は、前記設定手段により設定された前記切り出し領域の周辺を含む原稿の画像を読み取ることを特徴とする請求項１に記載の画像読み取り装置。
【請求項３】
前記プレビュー表示手段は、複数の原稿を読み取った画像のそれぞれから、前記設定手段により設定された前記切り出し領域の画像を切り出した複数の画像をプレビュー表示することを特徴とする請求項１又は２に記載の画像読み取り装置。
【請求項４】
前記調整手段による位置の調整を他のプレビュー表示された画像にも適用させる適用手段を更に有することを特徴とする請求項３に記載の画像読み取り装置。
【請求項５】
前記切り出し手段により切り出した原稿の画像のサイズを変倍する変倍手段と、
前記変倍手段により変倍された画像とフォーム画像とを合成する合成手段とを更に有することを特徴とする請求項１乃至４のいずれか１項に記載の画像読み取り装置。
【請求項６】
原稿の画像を読み取って画像を切り出す画像読み取り装置を制御する制御方法であって、
設定手段が、原稿の画像の切り出し領域を設定する設定工程と、
読み取り手段が、原稿を読み取る読み取り工程と、
切り出し手段が、前記読み取り工程で読み取った原稿の画像から、前記設定工程で設定された前記切り出し領域の画像を切り出す切り出し工程と、
プレビュー表示手段が、前記切り出し工程で切り出した画像をプレビュー表示するプレビュー表示工程と、
調整手段が、前記プレビュー表示された画像に対して前記切り出し領域を移動させて、前記画像の位置を調整する調整工程と、
を有することを特徴とする画像読み取り装置の制御方法。
【請求項７】
原稿の画像を読み取る読み取り部を備える画像形成装置であって、
前記読み取り部により読み取られた原稿の画像を表示部に表示させる表示制御手段と、
前記表示制御手段により前記表示部に表示された前記画像の領域を指定する指定手段と、
前記指定手段により指定された前記領域の原稿の画像を読み取るように前記読み取り部を制御する読み取り制御手段と、を備え、
前記表示制御手段は、前記読み取り制御手段により制御された前記読み取り部が読み取った前記領域の原稿の画像を、前記表示部に表示させることを特徴とする画像形成装置。
【請求項８】
前記読み取り制御手段は、前記指定手段により指定された前記領域の周辺を含む原稿の画像を読み取るように前記読み取り部を制御することを特徴とする請求項７に記載の画像形成装置。
【請求項９】
前記表示制御手段は、前記読み取り制御手段により制御された前記読み取り部が読み取った前記領域の複数の原稿の画像を、前記表示部に並べて表示することを特徴とする請求項７又は請求項８に記載の画像形成装置。
【請求項１０】
前記領域を移動させて、前記読み取り部が読み取った領域の原稿の画像の位置を調整する調整手段を更に備えることを特徴とする請求項７乃至９のいずれか１項に記載の画像形成装置。
【請求項１１】
前記調整手段による位置の調整を他の原稿の画像にも適用させる適用手段を更に有することを特徴とする請求項１０に記載の画像形成装置。
【発明の詳細な説明】
【技術分野】
【０００１】
本発明は、画像読み取り装置、その制御方法と画像形成装置に関するものである。
【背景技術】
【０００２】
スキャナやＭＦＰには、原稿を読み取る際、その原稿の特定の領域の画像だけを切り出して、その領域の画像データを得ることができるものがある。その特定の領域を指定する方法には、先に原稿全体の読み取りを行い、その読み取った原稿の画像を表示画面に表示し、ユーザがその表示された画像を見ながら領域を指定する方法がある。こうして、一旦、領域が指定されると、その後の読み取り処理でも、続けて同じ特定の領域の画像を読み取って、その画像データを得ることができる。これにより、複数の原稿の同じ領域の画像を切り出して読み取る場合、ユーザは原稿ごとに領域を指定する必要がない（例えば、特許文献１参照）。
【先行技術文献】
【特許文献】
【０００３】
【特許文献１】特開２０１０−２７６８２０号公報
【発明の概要】
【発明が解決しようとする課題】
【０００４】
しかしながら、複数の原稿に対して同じ領域を設定し、その領域の画像を読み取る場合に、読み取った原稿において、その領域がずれることがある。その場合、ユーザが所望する画像データが得られないが、ユーザがそれに気付かずに後続の処理を行ってしまうという課題がある。このように領域がずれて所望の画像が得られない原因としては、元々原稿の画像がずれている場合や、或いは原稿の読み取り時に原稿の位置がずれることなどが考えられる。
【０００５】
本発明の目的は、上記従来技術の問題点を解決することにある。
【０００６】
本発明の特徴は、複数の原稿に対して同じ領域を設定して、その領域の画像を読み取って切り出す場合に、その画像の位置ずれを容易に確認でき、かつその位置ずれを修正できる技術を提供することにある。
【課題を解決するための手段】
【０００７】
上記目的を達成するために本発明の一態様に係る画像読み取り装置は以下のような構成を備える。即ち、
原稿の画像を読み取って画像を切り出す画像読み取り装置であって、
原稿の画像の切り出し領域を設定する設定手段と、
原稿を読み取る読み取り手段と、
前記読み取り手段により読み取った原稿の画像から、前記設定手段により設定された前記切り出し領域の画像を切り出す切り出し手段と、
前記切り出し手段により切り出した画像をプレビュー表示するプレビュー表示手段と、
前記プレビュー表示された画像に対して前記切り出し領域を移動させて、前記画像の位置を調整する調整手段と、を有することを特徴とする。
【発明の効果】
【０００８】
本発明によれば、複数の原稿に対して同じ領域を設定して、その領域の画像を読み取って切り出す場合に、その画像の位置ずれを容易に確認でき、かつその位置ずれを修正できるため、ユーザの期待する処理結果を得ることが可能になる。
【図面の簡単な説明】
【０００９】
【図１】本実施形態に係る画像読み取り装置の構成を示すブロック図。
【図２】実施形態に係る画像読み取り装置のイメージ合成機能で使用するフォームの一例を示す図。
【図３】実施形態に係る画像読み取り装置の機能であるイメージ合成で使用する読み取り原稿の例を示す模式図。
【図４】イメージ合成の設定を行うときの表示・操作部の一連の表示画面の模式図。
【図５】イメージ合成の設定を行うときの表示・操作部の一連の表示画面の模式図。
【図６】イメージ合成の設定を行うときの原稿領域の設定を説明する模式図。
【図７】原稿画像の読み取り領域の範囲を説明する図。
【図８】図３に示した原稿を原稿領域を設定して読み取った場合の読み取り領域の画像を示す模式図。
【図９】図８で示した読み取り領域の画像を切り取った原稿領域の画像を示した模式図。
【図１０】図４（Ａ）及び図５（Ｂ）に示したコピー機能の待機画面の表示中のユーザ操作に対応する処理を説明するフローチャート。
【図１１】図５（Ａ）に示す原稿読み取りの待機画面で原稿の読み取りの開始が指示された場合のＣＰＵによる制御処理を説明するフローチャート。
【図１２】図５（Ｄ）及び図６（Ｃ）に示した原稿領域プレビュー画面を表示している際のＣＰＵの制御処理を示すフローチャート。
【図１３】図１２のＳ１１０９或いはＳ１１１１の画像合成処理を説明するフローチャート。
【図１４】図６（Ｄ）に示した全体プレビュー画面を表示している際におけるＣＰＵ１０５の制御処理を説明するフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１１】
図１は、本実施形態に係る画像読み取り装置１の構成を示すブロック図である。
【００１２】
画像読み取り部１０１は、ＣＰＵ１０５の制御により動作し、図示しない原稿台にユーザがセットした原稿をスキャンして画像データを生成し、その画像データをデータバス１０９を介してメモリ１０６に送信して格納する。画像拡大・縮小部１０２は、ＣＰＵ１０５の制御により動作し、メモリ１０６に格納された画像データをデータバス１０９を介して受信して、画像の拡大或いは縮小処理（変倍）を行い、その結果の画像データをデータバス１０９を介してメモリ１０６に格納する。画像合成部１０３は、ＣＰＵ１０５の制御により動作し、メモリ１０６に格納された二つの画像データをデータバス１０９を介して受信して、合成処理を行った結果の画像データをデータバス１０９を介してメモリ１０６に送信して格納する。画像合成部１０３は、それぞれの画像データを任意の位置に合成した画像データを生成できる。表示・操作部１０４は、ＣＰＵ１０５の制御により動作し、データバス１０９を介してＣＰＵ１０５から受信した情報を表示・操作部１０４の図示しないタッチパネル付きの表示部に表示し、また、タッチパネルによるユーザの操作情報をＣＰＵ１０５に送信する。
【００１３】
ＣＰＵ１０５は、ＨＤＤ（ハードディスクドライブ）１０７に格納されたプログラムをメモリ１０６に読み出し、そのプログラムに従って画像読み取り装置全体の制御を行う。メモリ１０６は、ＣＰＵ１０５のプログラムを格納したり、画像データを格納する一時メモリである。ＨＤＤ１０７は、ＣＰＵ１０５のプログラムや画像データなどを格納する。またＨＤＤ１０７には、予め、イメージ合成で使用するフォーム画像データに関する情報が記憶されている。印刷部１０８はＣＰＵ１０５の制御により動作し、データバス１０９を介して受信した画像データに基づいて、図示しない印刷用紙に、例えば電子写真プロセスを用いて画像形成（印刷）する。データバス１０９は、画像データや情報の転送を行う。
【００１４】
図２は、実施形態に係る画像読み取り装置１のイメージ合成機能で使用するフォームの一例を示す図である。
【００１５】
ＨＤＤ１０７には、この履歴書のフォームの画像データの他に、斜線で示した領域２０１を示す情報が格納されている。この領域２０１は、画像読み取り部１０１で読み取った原稿の画像を合成する領域を示しており、本実施形態では、フォーム領域と呼ぶ。ユーザは、この画像読み取り装置１のイメージ合成機能を使って、別の原稿の顔写真をこの履歴書フォームと合成することで、顔写真付きの履歴書を作成することができる。その手順については後述する。尚、斜線はフォーム領域を示すために便宜的に付けてあるものであり、ＨＤＤ１０７に格納されている実際のフォーム画像では白地である。なお、領域２０１は、フォーム毎に予め定められる領域であっても良いし、フォームをプレビューした画面上でユーザがタッチパパネルなどで指定できる領域であっても良い。
【００１６】
図３は、実施形態に係る画像読み取り装置１の機能であるイメージ合成で使用する読み取り原稿の例を示す模式図である。図３（Ａ）、図３（Ｂ）、図３（Ｃ）及び、図３（Ｄ）は、全て同じ定型の運転免許証を示し、それぞれ内容の異なる証明書である。
【００１７】
図４〜図６は、イメージ合成の設定を行うときの表示・操作部１０４の一連の表示画面の模式図である。
【００１８】
図４（Ａ）は、コピー機能の待機画面を示す。図４（Ｂ）は、コピー機能が指定された場合のその他の機能の設定画面を示す。図４（Ｃ）は、図４（Ｂ）でイメージ合成４２１が選択された場合のイメージ合成のフォーム選択画面を示す。図４（Ｄ）は、図４（Ｃ）で次へボタン４３２が選択された場合に表示される、イメージ合成の参照原稿の読み取り画面を示す。
【００１９】
図４（Ａ）において、４１１は倍率を設定するための倍率ボタン、４１２は、コピーに使用する用紙サイズを設定する用紙サイズボタン、４１３は部数を設定する部数設定ボタン、４１４は仕上げ処理を設定する仕上げ処理ボタンである。４１５は両面コピーか片面コピーかを指示する両面ボタン、４１６はその他の機能を指示するボタン、そして４１７は各種設定をリセットするリセットボタンである。
【００２０】
図５（Ａ）は、コピー機能のイメージ合成の原稿領域の指定画面を示す。図５（Ｂ）は、イメージ合成の設定がある状態のコピー機能の待機画面を示す。前述の通り、ＣＰＵ１０５の制御により、表示・操作部１０４におけるユーザの操作の検知と表示切り換えが実行される。以下では、表示・操作部１０４におけるユーザの操作による表示の遷移について説明する。
【００２１】
初期状態は、図４（Ａ）の待機画面の状態である。この状態からその他の機能ボタン４１６が押されると、図４（Ｂ）の設定画面に遷移する。図４（Ｂ）の設定画面でイメージ合成ボタン４２１が押されると、図４（Ｃ）のフォーム選択画面に遷移する。図４（Ｃ）では、フォームのリスト４３１から選んだフォームの内容が画面右側のプレビュー４３３に表示されて確認できる。ここで、図２の説明において述べたフォーム領域、即ち、イメージ合成で読み取った原稿の画像を合成する領域（図２の２０１）がプレビュー４３３でも斜線で示される。この状態から次へボタン４３２が押されると、図４（Ｄ）の原稿の読み取り画面に遷移する。図４（Ｄ）で、原稿読み取りボタン４４１が押されると、画像読み取り部１０１の原稿台にユーザがセットした原稿が読み取られてそのプレビュー画像４４３が表示される。ここでは、図３で示したものと同じフォーマットの免許証を原稿として読み取った例を示している。
【００２２】
図４（Ｄ）の状態から次へボタン４４２が押されると、図５（Ａ）の原稿領域の指定画面に遷移する。図５（Ａ）では、プレビュー画像に重ねて領域を示す斜線が表示され、ユーザはこの斜線領域の角に表示されたつまみ４５１をドラッグで調節することで、その領域の大きさと位置を変更することができる。この斜線で示す領域は、前述のフォームの領域２０１に合成する原稿の領域を示しており、本実施形態では原稿領域と呼ぶ。また、図５（Ａ）のプレビュー拡大ボタン４５２或いはプレビュー縮小ボタン４５３を押すことにより、プレビュー表示の大きさを変更して斜線で示す原稿領域の調節と確認を容易に行うことができる。尚、図５（Ａ）の画面では、イメージ合成のフォームと原稿領域の設定をするのみで、プリント出力は行えない。図５（Ａ）で、設定完了ボタン４５４が押されると、斜線で示す原稿領域はイメージ合成で使用する原稿領域として設定される。それと同時に、この原稿領域の大きさが、図４（Ｃ）のフォーム選択画面で選択したフォームのフォーム領域の大きさと同じになるように拡大・縮小率が計算されて、イメージ合成時の原稿の読み取り画像の倍率として原稿領域と共に記憶される。ここで、このイメージ合成時の原稿の読み取り画像の倍率の設定とは、図４（Ａ）のコピー機能の待機画面にある倍率設定ボタン４１１で設定する倍率設定とは別の設定である。そして図５（Ｂ）に示す、図４（Ａ）と同じ待機画面に遷移する。図５（Ｂ）の状態では、その他の機能ボタン４１６に網掛けでイメージ合成と表記されて、イメージ合成の設定があることが示されている。図５（Ｂ）の状態でスタートボタン４１８が押されると、設定したイメージ合成の処理を実行することができる。
【００２３】
図５（Ｃ）は、原稿読み取り前の待機画面を示す。図５（Ｄ）は、原稿領域のプレビュー画面を示す。図６（Ａ）は、各原稿ごとの原稿領域を変更するための画面例を示す。図６（Ｂ）は、原稿ごとの原稿領域の変更画面を示す。図６（Ｃ）は、原稿領域のプレビュー画面を示し、図６（Ｄ）は、フォームに原稿画像が合成された画像を表示するプレビュー画面を示す。前述の通り、ＣＰＵ１０５の制御により表示・操作部１０４のユーザ操作の検知と表示の切り換えが実行される。以下ではユーザの操作による表示の遷移について説明する。
【００２４】
図５（Ｂ）に示した待機画面の状態でスタートボタン４１８が押されると、原稿の読み取りが行われた後に図５（Ｃ）の待機画面に遷移する。この状態でスタートボタン５１３が押されると、次の原稿の読み取りが行われる。図５（Ｃ）の状態でプレビューボタン５１２が押されると、図５（Ｄ）の原稿領域のプレビュー画面に遷移する。図５（Ｄ）の状態では、読み取った原稿から切り取った原稿領域の画像のみを並べてプレビューすることができ、ユーザは、この画面を見て、読み取り原稿の切り出し処理に問題がないか否かを確認することができる。図５（Ｄ）の状態で、いずれかの原稿領域の画像プレビュー５２１，５２２，５２３，或いは５２４が選択されると、図６（Ａ）に示す原稿ごとの原稿領域の変更画面に遷移する。ここでは、図５（Ｄ）で原稿番号が「２」の原稿領域のプレビュー５２２が選択された場合を示している。尚、図５（Ｄ）で、読み取り原稿の切り出し処理に問題がなければ、中止ボタン５２５を押して、原稿領域の変更処理をキャンセルできる。またプリント開始ボタン５２７を押すことにより、図６（Ｄ）の画面に遷移して、図２のフォームに原稿画像が合成された画像を印刷することができる。
【００２５】
図６（Ａ）では、原稿領域と、その周辺画像を含む読み取り画像のプレビュー画像と、そのプレビュー画像に重ねて斜線領域が表示されている。ユーザはこの斜線領域の角に表示されたつまみ５３１をドラッグで調節することで、イメージ合成に使用する原稿領域の設定を変更できる。ここで、原稿領域とその周辺画像を含む読み取り画像を、本実施形態では読み取り領域と呼ぶ。こうして原稿領域に対する読み取り画像の位置を調整することができる。尚、ここでイメージ合成に使用する原稿領域の設定に問題がなければ設定完了ボタン５３３が押下されて原稿領域が確定する。一方、この原稿領域の設定の変更処理をキャンセルするときはキャンセルボタン５３２が押下される。設定完了ボタン５３３或いはキャンセルボタン５３２が押下されると図５（Ｄ）の画面に戻る。
【００２６】
図６（Ａ）の状態から、斜線領域を調節した後の画面が、図６（Ｂ）の原稿領域の変更画面である。図６（Ｂ）の状態で設定完了ボタン５３３が押されると、図６（Ｃ）の原稿領域プレビュー画面に遷移する。図６（Ｃ）の状態では、前述の通り、読み取った原稿から切り取った原稿領域の画像のみを並べてプレビューすることができるが、原稿番号が「２」のプレビュー５２２に関しては、図６（Ａ）の画面で変更された原稿領域の設定が反映されている。図６（Ｃ）の状態で全体プレビューボタン５２６が押されると、図６（Ｄ）の全体プレビュー画面に遷移する。図６（Ｄ）では、原稿領域の画像とフォーム画像とのイメージ合成結果のプレビュー画像が表示される。図６（Ｄ）の状態でプリント開始ボタン５６３が押されると、イメージ合成結果の画像が印刷部１０８によって印刷される。そして図５（Ｂ）に示した待機画面に遷移する。また６（Ｄ）の状態で原稿領域プレビューボタン５６２が押されると、図６（Ｃ）の画面に遷移する。
【００２７】
図７は、画像読み取り部１０１から出力される原稿画像の読み取り領域の範囲を説明する図である。図中の斜線領域２０１が原稿領域で、その周囲を既定の長さだけ広げた点線で囲んだ領域７０１が読み取り領域を示している。尚、斜線及び点線は、説明のために便宜的に付けたもので、実際の原稿や読み取り画像には含まれていない。また、画像読み取り部１０１の最大の読み取り範囲は、図７の長方形７０２で示す範囲であり、この例のように斜線領域２０１が読み取り領域７０１の端に近い場合は、読み取り領域７０１が長方形７０２からはみ出す場合がある。このような場合、その長方形を超えた部分の画像は黒の画像として画像読み取り部１０１から出力される。
【００２８】
図８は、図３に示した原稿を原稿領域の設定を行って読み取った場合の読み取り領域の画像を示す図である。この場合の原稿領域の範囲は全ての原稿の読み取りで共通であり、図８（Ａ）〜（Ｄ）で点線で示している。図８（Ａ），（Ｂ），（Ｃ）及び（Ｄ）は、それぞれ図３（Ａ），（Ｂ），（Ｃ）及び（Ｄ）で示した原稿をそれぞれ読み取った画像データである。ここで、図８（Ｂ）に示した画像データは、原稿の置き場所がずれていたために、読み取った画像データにおいても原稿領域の範囲から顔写真部分が外れてしまったことを示している。
【００２９】
図９は、図８で示した読み取り領域の画像を切り取った原稿領域の画像を示した模式図である。
【００３０】
図９（Ａ），（Ｂ）．（Ｃ）及び（Ｄ）は、図８（Ａ），（Ｂ），（Ｃ）及び（Ｄ）にそれぞれ対応している。ここで、図９（Ｂ）は、図８（Ｂ）で説明したように読み取った画像データがずれているために、切り取った原稿領域の画像が所望の範囲の切り取りになっていないことがわかる。
【００３１】
図１０は、図４（Ａ）及び図５（Ｂ）に示したコピー機能の待機画面の表示中のユーザ操作に対応する処理を説明するフローチャートである。なお、この処理を実行するプログラムはメモリ１０６に記憶されており、ＣＰＵ１０５の制御の下に実行される。
【００３２】
まずＳ９０１で、ＣＰＵ１０５は表示・操作部１０４に、図４（Ａ）に示すコピー機能の待機画面を表示してＳ９０２に進む。Ｓ９０２で、ＣＰＵ１０５は表示・操作部１０４においてユーザによる操作を待ち、ユーザ操作があればＳ９０３に進む。Ｓ９０３では、ＣＰＵ１０５は、Ｓ９０２で確認したユーザ操作が倍率設定ボタン４１１を押す操作であるかどうかを確認する。そうであればＳ９０４に進み、表示・操作部１０４に倍率設定処理の画面を表示し、ユーザによる倍率の設定操作を受け付けて倍率設定を変更し、Ｓ９０１に進む。このときの倍率設定処理の詳細説明は省略する。一方、Ｓ９０３で、倍率設定ボタン４１１を押す操作でないときはＳ９０５に進み、ＣＰＵ１０５は、Ｓ９０２で確認したユーザ操作が用紙設定ボタン４１２を押す操作かどうかを確認する。そうであればＳ９０６に進み、ＣＰＵ１０５は表示・操作部１０４に用紙設定処理の画面を表示して、ユーザによる用紙設定操作を受け付けて用紙設定を変更してＳ９０１に進む。このときの用紙設定処理の詳細説明は省略する。
【００３３】
一方、Ｓ９０５で、用紙設定ボタン４１２を押す操作でないときはＳ９０７に進み、ＣＰＵ１０５はＳ９０２で確認したユーザ操作が部数設定ボタン４１３を押す操作かどうかを確認する。そうであればＳ９０８に進み、ＣＰＵ１０５は表示・操作部１０４に部数設定処理の画面を表示して、ユーザによる部数設定操作を受け付けて部数設定を変更してＳ９０１に進む。このときの部数設定処理の詳細説明は省略する。一方、Ｓ９０７で、部数設定ボタン４１３を押す操作でないときはＳ９０９に進み、ＣＰＵ１０５はＳ９０２で確認したユーザ操作が仕上げ設定ボタン４１４を押す操作かどうかを確認する。そうであればＳ９１０に進み、ＣＰＵ１０５は表示・操作部１０４に仕上げ設定処理の画面を表示して、ユーザによる仕上げ設定操作を受け付けて仕上げ設定を変更してＳ９０１に進む。このときの仕上げ設定処理の詳細説明は省略する。
【００３４】
一方、Ｓ９０９で、仕上げ設定ボタン４１４を押す操作でないときはＳ９１１に進み、ＣＰＵ１０５は、Ｓ９０２で確認したユーザ操作が両面設定ボタン４１５を押す操作かどうかを確認する。そうであればＳ９１２に進み、ＣＰＵ１０５は表示・操作部１０４に両面設定処理の画面を表示して、ユーザによる両面設定操作を受け付けて両面設定を変更してＳ９０１に進む。このときの両面設定処理の詳細説明は省略する。一方、Ｓ９１１で、両面設定ボタン４１５を押す操作でないときはＳ９１３に進み、ＣＰＵ１０５は、Ｓ９０２で確認したユーザ操作が、その他の機能設定ボタン４１６を押す操作かどうかを確認する。そうであればＳ９１４に進み、ＣＰＵ１０５は、表示・操作部１０４に、図４（Ｂ）に示すその他の機能設定処理の画面を表示して、ユーザによるその他の機能設定操作を受け付け、その他の機能設定を変更してＳ９０１に進む。このときのその他の機能設定処理の詳細説明は省略するが、その他の機能の中の一つであるイメージ合成の設定手順は、前述の図４（Ｂ）の画面遷移をＣＰＵ１０５の制御により実現したものである。
【００３５】
一方、Ｓ９１３で、その他の機能設定ボタン４１６を押す操作でないときはＳ９１５に進み、ＣＰＵ１０５は、Ｓ９０２で確認したユーザ操作がリセットボタン４１７を押す操作かどうかを判定する。そうであればＳ９１６に進み、ＣＰＵ１０５は全ての設定を初期値にリセットしてＳ９０１に進む。Ｓ９１５で、リセットボタン４１７を押す操作でないときはＳ９１７に進み、ＣＰＵ１０５は、Ｓ９０２で確認したユーザ操作がスタートボタン４１８を押す操作かどうかを判定する。そうであれば後述の図１１で示すコピー処理のフローチャートに進み、そうでなければＳ９０２に進む。
【００３６】
図１１は、図５（Ａ）に示す原稿読み取りの待機画面で原稿の読み取りの開始が指示された場合のＣＰＵ１０５による制御処理を説明するフローチャートである。なお、この処理を実行するプログラムはメモリ１０６に記憶されており、ＣＰＵ１０５の制御の下に実行される。
【００３７】
まずＳ１００１で、ＣＰＵ１０５は、表示・操作部１０４に図５（Ｃ）に示す原稿読み取り待機画面を表示してＳ１００２に進む。Ｓ１００２で、ＣＰＵ１０５は原稿領域が設定されているかどうかを判定し、設定されている場合はＳ１００５に進み、そうでない場合はＳ１００３に進む。このとき、イメージ合成が設定されていれば、原稿領域の設定もあると判断する。Ｓ１００３では、ＣＰＵ１０５は画像読み取り部１０１で原稿全体の読み取りを行い、読み取った画像データをメモリ１０６に転送して記憶してＳ１００４に進む。Ｓ１００４では、ＣＰＵ１０５はメモリ１０６に記憶した原稿全体の画像データを印刷画像データとしてＨＤＤ１０７に転送して格納してＳ１００８に進む。
【００３８】
一方、原稿領域が設定されている場合はＳ１００５で、ＣＰＵ１０５は、画像読み取り部１０１で原稿領域とその周囲１２．７ｍｍ以内の読み取り領域の画像の読み取りを行い、こうして読み取った画像データをメモリ１０６に転送し記憶してＳ１００６に進む。Ｓ１００６では、ＣＰＵ１０５は、前述のイメージ合成時の読み取り画像の倍率を使って、読み取り領域の画像データの拡大・縮小を行う。即ち、ＣＰＵ１０５は、メモリ１０６に記憶した画像データを画像拡大・縮小部１０２に転送し、イメージ合成時の読み取り画像の倍率での画像データの拡大・縮小処理を行い、その結果の画像データをメモリ１０６に転送して記憶する。そしてＳ１００７に進み、ＣＰＵ１０５は、メモリ１０６に記憶した拡大・縮小処理を行った結果の読み取り領域の画像データをＨＤＤ１０７に転送して格納してＳ１００８に進む。
【００３９】
Ｓ１００８で、ＣＰＵ１０５は表示・操作部１０４でユーザによる操作があったかどうかを判定し、あればＳ１００９に進み、なければＳ１００８に留まる。Ｓ１００９では、ＣＰＵ１０５は、Ｓ１００８で確認したユーザ操作がスタートボタン５１３を押す操作かどうかを判定し、そうであればＳ１００２に進み、そうでなければＳ１０１０に進む。Ｓ１０１０で、ＣＰＵ１０５は、Ｓ１００８で確認したユーザ操作が中止ボタン５１１を押す操作かどうかを確認し、そうであればＳ１０１１に進み、そうでなければＳ１０１２に進む。Ｓ１０１１で、ＣＰＵ１０５は、ＨＤＤ１０７に記憶した画像データを消去して図１０のＳ９０１の処理に進む。一方、Ｓ１０１０で中止ボタン５１１を押す操作でないときはＳ１０１２に進み、ＣＰＵ１０５はＳ１００８で確認したユーザ操作がプレビューボタン５１２を押す操作かどうかを確認し、そうであればＳ１０１３に進み、そうでなければＳ１００８に進む。Ｓ１０１３では、ＣＰＵ１０５は、原稿領域が設定されているかどうかを確認し、原稿領域が設定されている場合は後述の図１２で示すＳ１１０１に進み、そうでない場合は後述の図１４のＳ１２０１に進む。このとき、Ｓ１００２と同様に、イメージ合成の設定があれば、原稿領域の設定もあると判断する。
【００４０】
図１２は、図５（Ｄ）及び図６（Ｃ）に示した原稿領域プレビュー画面を表示している際のＣＰＵ１０５の制御処理を示すフローチャートである。なお、この処理を実行するプログラムはメモリ１０６に記憶されており、ＣＰＵ１０５の制御の下に実行される。以下、図５及び図６の画面例を参照しながら説明する。
【００４１】
まずＳ１１０１で、ＣＰＵ１０５は、ＨＤＤ１０７に記憶されている読み取り領域の画像データを読み出し、メモリ１０６に転送して記憶してＳ１１０２に進む。Ｓ１１０２で、ＣＰＵ１０５は、メモリ１０６に記憶されている読み取り領域の画像データから原稿領域の画像データの切り出しを行う。ここでは、メモリ１０６に記憶されている読み取り領域の画像データから、原稿領域の画像データのみを読み出すことで切り出しを実現している。ＣＰＵ１０５は、その切り出した原稿領域の画像データをメモリ１０６に転送して記憶し、読み取り領域の画像データをメモリ１０６から削除する。そしてＳ１１０３に進む。Ｓ１１０３で、ＣＰＵ１０５はメモリ１０６に記憶されている原稿領域の画像データをプレビュー用に縮小する。具体的には、メモリ１０６に記憶されている原稿領域の画像データを画像拡大・縮小部１０２に転送し、表示・操作部１０４に表示するのに最適な解像度となる倍率での拡大・縮小処理を行い、その結果の画像データをメモリ１０６に転送して記憶する。そしてＳ１１０４に進む。Ｓ１１０４では、ＣＰＵ１０５はメモリ１０６に記憶されている拡大／縮小処理を行った結果の原稿領域の画像データを表示・操作部１０４に転送し、例えば図５（Ｄ）或いは図６（Ｃ）のように原稿領域プレビュー画面として表示制御してＳ１１０５に進む。
【００４２】
Ｓ１１０５で、ＣＰＵ１０５は表示・操作部１０４においてユーザによる操作があったかどうかを判定し、ユーザによる操作があればＳ１１０６に進み、なければＳ１１０５に留まる。Ｓ１１０６では、ＣＰＵ１０５は、中止ボタン５２５が押されたかどうかを判定し、そうであればＳ１１０７に進み、ＣＰＵ１０５はＨＤＤ１０７に記憶した画像データを消去して、図１０のＳ９０１に進む。一方、Ｓ１１０６で、中止ボタン５２５が押されていないときはＳ１１０８に進み、ＣＰＵ１０５はＳ１１０５で確認したユーザ操作が全体プレビューボタン５２６を押す操作かどうかを判定する。そうであればＳ１１０９に進みＣＰＵ１０５は、図１３を参照して後述する画像合成処理を行い、後述の図１４のＳ１２０１に進む。
【００４３】
一方、Ｓ１１０８で、全体プレビューボタン５２６を押す操作でないと判断した場合はＳ１１１０に進み、ＣＰＵ１０５は、Ｓ１１０５で確認したユーザ操作がプリント開始ボタン５２７を押す操作かどうかを判定する。そうであればＳ１１１１に進み、ＣＰＵ１０５は、図１３で示す画像合成処理を行ってＳ１１１２に進む。Ｓ１１１２で、ＣＰＵ１０５は、ＨＤＤ１０７に記録されている印刷用の画像データを読み出してメモリ１０６に転送して記憶しＳ１１１３に進む。Ｓ１１１３で、ＣＰＵ１０５は、メモリ１０６に記憶されている印刷画像データを読み出して印刷部１０８に転送してプリント出力を行ってＳ１１１４に進む。Ｓ１１１４で、ＣＰＵ１０５はＨＤＤ１０７に記録した画像データを消去して、図１０のＳ９０１に進む。
【００４４】
一方、Ｓ１１１０で、プリント開始ボタン５２７を押す操作でないと判断した場合はＳ１１１５に進み、ＣＰＵ１０５は、Ｓ１１０５で確認したユーザ操作が、原稿領域のプレビュー画像５２１〜５２４のいずれかを押す操作かどうかを判定する。そうであればＳ１１１６に進み、そうでなければＳ１１０５に進む。Ｓ１１１６では、ＣＰＵ１０５はＨＤＤ１０７に記録されている読み取り領域の画像データを読み出してメモリ１０６に転送して記憶し、Ｓ１１１７に進む。Ｓ１１１７で、ＣＰＵ１０５は、メモリ１０６に記憶されている読み取り領域の画像データをプレビュー用に縮小する。ここでは、メモリ１０６に記憶されている読み取り領域の画像データを画像拡大・縮小部１０２に転送し、表示・操作部１０４に表示するのに最適な解像度となる倍率での拡大・縮小処理を行い、その結果の画像データをメモリ１０６に転送して記憶する。そしてＳ１１１８に進み、ＣＰＵ１０５は、メモリ１０６に記憶されている拡大／縮小処理を行った結果の読み取り領域の画像データを表示・操作部１０４に転送し、図６（Ａ）或いは（Ｂ）に示す原稿領域の指定画面を表示してＳ１１１９に進む。Ｓ１１１９で、ＣＰＵ１０５は、表示・操作部１０４に表示した読み取り領域の画像データの上に、原稿領域を表す斜線を表示してＳ１１２０に進む。Ｓ１１２０で、ＣＰＵ１０５は表示・操作部１０４におけるユーザの操作を待ち、ユーザの操作があればＳ１１２１に進み、なければＳ１１２０に留まる。Ｓ１１２１では、ＣＰＵ１０５は、Ｓ１１２０で確認したユーザ操作が設定完了ボタン５３３を押す操作かどうかを判定し、そうであればＳ１１２２に進みＣＰＵ１０５は、現在表示している斜線領域の位置情報を新たな原稿領域として記憶してＳ１１０１に進む。このとき、原稿領域の情報は、ＨＤＤ１０７に記録してある読み取り領域の画像データに付加して記憶する。
【００４５】
一方、Ｓ１１２１で、設定完了ボタン５３３を押す操作でないときはＳ１１２３に進み、ＣＰＵ１０５は、Ｓ１１２０で確認したユーザ操作がキャンセルボタン５３２を押す操作かどうかを判定する。そうであれば現在表示している斜線領域の位置情報を破棄してＳ１１０１に進む。一方、キャンセルボタン５３２の押下でないときはＳ１１２４に進み、ＣＰＵ１０５は、Ｓ１１２０で確認したユーザ操作がつまみ５３１をドラッグする操作かどうかを判定する。そうであればＳ１１２５に進み、現在表示している斜線領域の位置情報を変更してＳ１１２５に進み、そうでなければＳ１１２０に進む。Ｓ１１２５で、ＣＰＵ１０５は、表示・操作部１０４に表示した読み取り領域の画像データの上に表示している原稿領域を表す斜線の位置を更新して表示し、Ｓ１１２０に進む。
【００４６】
次に図１３のフローチャートを参照して、Ｓ１１０９或いはＳ１１１１の画像合成処理を説明する。
【００４７】
まずＳ１１２６で、ＣＰＵ１０５は、ＨＤＤ１０７に記憶されているフォームの画像データを読み出してメモリ１０６に転送して記憶する。次にＳ１１２７に進み、ＣＰＵ１０５は、ＨＤＤ１０７に記憶されている読み取り領域の画像データを読み出してメモリ１０６に転送して記憶する。次にＳ１１２８に進み、ＣＰＵ１０５は、メモリ１０６に記憶されている読み取り領域の画像データから原稿領域の画像データの切り出しを行う。ここでは、メモリ１０６に記憶されている読み取り領域の画像データの中で原稿領域の画像データのみを読み出すことで切り出しを実現している。ＣＰＵ１０５は、その切り出した原稿領域の画像データをメモリ１０６に転送して記憶し、読み取り領域の画像データをメモリ１０６から削除する。そしてＳ１１２９に進み、ＣＰＵ１０５は、メモリ１０６に記憶されているフォームの画像データ、原稿領域の画像データ、及び、フォーム領域の情報を画像合成部１０３に転送する。このとき画像合成部１０３は、フォームの画像データのフォーム領域に原稿領域の画像データを合成することで、合成結果である印刷画像データを生成し、メモリ１０６に転送して記憶する。ＣＰＵ１０５は、こうして印刷画像データがメモリ１０６に転送された後、Ｓ１１３０に進み、ＣＰＵ１０５はメモリ１０６に記憶されている印刷画像データをＨＤＤ１０７に転送して記憶して元の処理に戻る。
【００４８】
図１４は、図６（Ｄ）に示した全体プレビュー画面を表示している際におけるＣＰＵ１０５の制御処理を説明するフローチャートである。なお、この処理を実行するプログラムはメモリ１０６に記憶されており、ＣＰＵ１０５の制御の下に実行される。
【００４９】
まずＳ１２０１で、ＣＰＵ１０５は、ＨＤＤ１０７に記憶されている印刷画像データを読み出してメモリ１０６に転送して記憶し、Ｓ１２０２に進む。Ｓ１２０２で、ＣＰＵ１０５は、メモリ１０６に記憶されている印刷画像データをプレビュー用に縮小する。具体的には、メモリ１０６に記憶されている印刷画像データを画像拡大・縮小部１０２に転送し、表示・操作部１０４に表示するのに最適な解像度となる倍率での拡大・縮小処理を行う。そして、その結果の画像データをメモリ１０６に転送して記憶する。そしてＳ１２０３に進み、ＣＰＵ１０５は、メモリ１０６に記憶されている拡大／縮小処理を行った結果の印刷画像データを表示・操作部１０４に転送し、例えば図６（Ｄ）に示す全体プレビュー画面を表示してＳ１２０４に進む。Ｓ１２０４で、ＣＰＵ１０５は表示・操作部１０４で、ユーザによる操作があったかどうかを判定し、あればＳ１２０５に進み、なければＳ１２０４に留まる。Ｓ１２０５で、ＣＰＵ１０５は、Ｓ１２０４で確認したユーザ操作が中止ボタン５６１を押す操作かどうかを判定し、そうであればＳ１２０６に進み、ＣＰＵ１０５はＨＤＤ１０７に記憶した画像データを消去して、図１０で示したＳ９０１に進む。
【００５０】
一方、Ｓ１２０５で、中止ボタン５６１を押す操作でないときはＳ１２０７に進み、ＣＰＵ１０５は、原稿領域指定の設定があるかどうかを確認し、原稿領域指定の設定がある場合はＳ１２０８に進み、そうでない場合はＳ１２０９に進む。このとき、イメージ合成の設定があれば、原稿領域指定の設定もあると判断する。Ｓ１２０８で、ＣＰＵ１０５は、Ｓ１２０４で確認したユーザ操作が、原稿領域プレビューボタン５６２を押す操作かどうかを判定し、そうであれば図１２のＳ１１０１に進み、そうでなければＳ１２０９に進む。Ｓ１２０９で、ＣＰＵ１０５は、Ｓ１２０４で確認したユーザ操作がプリント開始ボタン５６３を押す操作かどうかを判定し、そうであればＳ１２１０に進み、そうでなければＳ１２０４に進む。Ｓ１２１０で、ＣＰＵ１０５は、ＨＤＤ１０７に記憶されている印刷画像データを読み出してメモリ１０６に転送して記憶しＳ１２１１に進む。Ｓ１２１１では、ＣＰＵ１０５はメモリ１０６に記憶されている印刷画像データを読み出して印刷部１０８に転送して印刷を行いＳ１２１２に進む。Ｓ１２１２で、ＣＰＵ１０５はＨＤＤ１０７に記憶した画像データを消去して、図１０のＳ９０１に進む。
【００５１】
以上の構成に基づいて、本実施形態に係る画像読み取り装置の動作の一例を以下に説明する。
【００５２】
本実施形態では、履歴書のフォームに、証明書（運転免許証）の顔写真だけ切り出し、その顔写真の画像をフォームのフォーム領域に合成して顔写真付きの履歴書を作成する例で説明する。履歴書のフォームは予め登録してあるものを使用する。また、証明書（運転免許証）は同じフォーマットのものが４枚あり、各証明書をそれぞれ読み取って、それぞれについて履歴書を作成する。ここで４枚の証明書は、証明書Ａ、証明書Ｂ、証明書Ｃ、証明書Ｄとして区別している。
【００５３】
ユーザは、図４（Ａ）の画面でその他の機能ボタン４１６を押すと、図４（Ｂ）の画面に遷移する。ユーザは、この図４（Ｂ）の画面でイメージ合成ボタン４２１を押すと、図４（Ｃ）の画面に遷移する。ユーザは、図４（Ｃ）の画面のリスト４３１から「履歴書」をタッチして履歴書のフォームを選択し、そしてプレビュー４３３で、その履歴書のフォームの内容を確認する。そして、次へボタン４３２を押すと、図４（Ｄ）の画面に遷移する。
【００５４】
この状態でユーザは、証明書Ａを原稿台に置き、図４（Ｄ）の画面で原稿読み取りボタン４４１を押す。これにより、証明書Ａの読み取りが実行されて、図４（Ｄ）の画面に読み取り画像のプレビューが表示される。ユーザは、このプレビューを確認後、次へボタン４４２を押すと、図５（Ａ）に示す画面に遷移する。図５（Ａ）の画面で、ユーザはつまみ４５１をドラッグして、証明書の顔写真部分に斜線領域が重なるように操作する。このとき、プレビュー拡大ボタン４５２を押して表示を拡大し、更に斜線領域の位置を正確に調整する。こうしてユーザは、斜線領域で原稿領域を設定してから設定完了ボタン４５４を押すと、図５（Ｂ）の画面に遷移する。ここまでの操作で、イメージ合成の設定が完了したので、次にユーザは４枚の証明書に対するイメージ合成を実行する。
【００５５】
最初は、原稿台に証明書Ａが置いてあるので、ユーザはそのまま図５（Ｂ）の画面でスタートボタン４１８を押すと、証明書Ａの原稿領域とその周囲（図８（Ａ））が読み取られて、図５（Ｃ）の画面に遷移する。ここで、証明書Ａはイメージ合成の設定で原稿領域を設定するときに使った原稿そのものであり、しかも原稿台に置いたままであるため、再度読み取りが行われても原稿領域の設定時と比較して、写真画像の位置ずれが発生することに考慮する必要がない。これに対して、この後、読み取りを行う証明書Ｂ，Ｃ，Ｄについては、同じフォーマットの証明書ではあるが、それぞれの写真の位置の微妙なずれや、写真の被写体の写っている位置や、原稿台に置くときのずれなどが発生する可能性がある。次にユーザは、原稿台に証明書Ｂを置いて、図５（Ｃ）の画面でスタートボタン５１３を押すと、証明書Ａに対して設定されたのと同じ、証明書Ｂの原稿領域とその周囲が読み取られる（図８（Ｂ））。
【００５６】
ここで、ユーザは意図せずに、原稿台に証明書Ｂを証明書Ａとは位置がずれた状態で置いてしまったことを想定してあり、そのため読み取り画像も少しずれたものとなっている。更に、ユーザは原稿台に証明書Ｃを置いて、図５（Ｃ）の画面でスタートボタン５１３を押すと、証明書Ｃの原稿領域とその周囲が読み取られる（図８（Ｃ））。更に、ユーザは原稿台に証明書Ｄを置いて、図５（Ｃ）の画面でスタートボタン５１３を押すと、証明書Ｄの原稿領域とその周囲が読み取られる（図８（Ｄ））。ここではまだユーザは、証明書Ｂの顔写真の読み取り位置がずれてしまっていることに気付くことができない。
【００５７】
次に図５（Ｃ）の画面で、ユーザがプレビューボタン５１２を押すと、イメージ合成の設定があるため原稿領域プレビューをする図５（Ｄ）の画面に遷移する。ユーザは、このプレビューにより、証明書Ｂの顔写真の読み取りが少しずれていることに気付くことができる。そこでユーザは、証明書Ｂの原稿領域を修正するために、図５（Ｄ）の画面上で、証明書Ｂの原稿領域プレビュー５２２をタッチすると、図６（Ａ）の画面に遷移する。
【００５８】
ここでは前述したように、証明書の読み取り時に、図７の２０１で示すように、原稿領域の周囲の領域も読み取っている。これにより、原稿領域の周囲を含んだ画像をプレビューすることができ、再度、その証明書の読み取りを実行する必要がない。図６（Ａ）の画面で、ユーザは斜線領域の位置をつまみ５３１のドラッグで移動して修正すると、図６（Ｂ）に示す画面のようになる。ここでユーザが設定完了ボタン５３３を押すと、図６（Ｃ）の画面に遷移する。図６（Ｃ）の画面で、ユーザは全ての原稿領域の画像が正しいことを確認して全体プレビューボタン５２６を押すと、図６（Ｄ）の全体プレビューの画面に遷移する。
【００５９】
尚、図５（Ｄ）の画面で、例えば、証明書Ｂ，Ｃ，Ｄでも、同じように顔写真の読み取りが少しずれていることに気付いた場合は、前述のように図６（Ａ）（Ｂ）で、証明書Ｂに対する位置の修正を行う。そして図６（Ｂ）の画面で、ユーザが設定完了ボタン５３３を押すと、図６（Ｃ）のような原稿領域のプレビュー画面に遷移する。この場合は、証明書Ｂのみが修正され、証明書Ｃ，Ｄは位置がずれたままである。そこで図６（Ｃ）の画面に、例えば一括反映ボタン（不図示）を追加することにより、その一括反映ボタンが押されると、証明書Ｂに対する位置の修正を他の証明書Ｃ，Ｄにも同様に、一括して適用するようにしてもよい。これにより、各証明書に対する位置ずれを、それぞれ個別に行う手間を省略することができる。
【００６０】
ユーザは、この全体プレビューの画面で、実際に印刷される画像であるイメージ合成の結果を確認して、プリント開始ボタン５６３を押すと、印刷部１０８による印刷が実行される。ここで、図６（Ｄ）の全体プレビューは、原稿領域の表示サイズが小さいため、原稿領域のずれ等を確認することよりも、フォーム合成の結果の大まかな全体像の確認が目的である。このように、複数の原稿に対して同じ領域の切り出し読み取りをする場合に、読み取った領域部分のプレビューを行うことで、ユーザは原稿の読み取りのずれを容易に確認して修正できるため、ユーザの期待する処理結果を得ることができた。
【００６１】
上述の説明では、証明書をそれぞれ原稿台において、１枚ずつ読み取るようにしたが本発明はこれに限定されるものでなく、複数名の原稿（証明書）を重ねて原稿台に置き、連続して読み取るようにしてもよい。この場合は、原稿領域のプレビューは、複数の原稿ごとにまとめて行うようにすればよい。
【００６２】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013162181.tif 000003
【図２】
2013162181.tif 000004
【図３】
2013162181.tif 000005
【図４】
2013162181.tif 000006
【図５】
2013162181.tif 000007
【図６】
2013162181.tif 000008
【図７】
2013162181.tif 000009
【図８】
2013162181.tif 000010
【図９】
2013162181.tif 000011
【図１０】
2013162181.tif 000012
【図１１】
2013162181.tif 000013
【図１２】
2013162181.tif 000014
【図１３】
2013162181.tif 000015
【図１４】
2013162181.tif 000016